(57)【要約】 【課題】歩行頻度が高い場所で使用されてもＲＦＩＤタグが外れることなく、視覚障害者の注意喚起システムや自動搬送システムに利用することができるＲＦＩＤタグを備えたタイルカーペットを提供することが目的である。 【解決手段】本考案のタイルカーペット１は、基布３の上面にパイル２が植設されてなるパイル布帛層４と、該パイル布帛層４の下面に積層された樹脂層５と、を備えたタイルカーペットであって、前記樹脂層５はガラス基布層８と、該ガラス基布層８の上面側に積層された上側樹脂層６と、前記ガラス基布層８の下面側に積層された下側樹脂層９と、を含み、前記上側樹脂層６と前記ガラス基布層８との間、又は、前記ガラス基布層８と前記下側樹脂層９との間にＲＦＩＤタグ１０を含む繊維層又はシート状物７を備えていることを特徴とする。【選択図】図１
0003216222.tif 000002
【実用新案登録請求の範囲】
【請求項１】
基布の上面にパイルが植設されてなるパイル布帛層と、該パイル布帛層の下面に積層された樹脂層と、を備えたタイルカーペットであって、前記樹脂層はガラス基布層と、該ガラス基布層の上面側に積層された上側樹脂層と、前記ガラス基布層の下面側に積層された下側樹脂層と、を含み、前記上側樹脂層と前記ガラス基布層との間、又は、前記ガラス基布層と前記下側樹脂層との間にＲＦＩＤタグを含む繊維層又はシート状物を備えていることを特徴とするタイルカーペット。
【考案の詳細な説明】
【技術分野】
【０００１】
本考案は、視覚障害者の注意喚起システムや自動搬送システムに利用することができるＲＦＩＤタグを備えたタイルカーペットに関する。
【背景技術】
【０００２】
従来より、視覚障害者の安全歩行のための点字ブロック、自動搬送システムのための床材が開発されている。
【０００３】
特許文献１においては、カーペットタイルの表面にＲＦＩＤタグをラベル又はステッカーにて接着させて、ＲＦＩＤタグに基づいて床清掃ができる床清掃機械が開示されている。
【特許文献１】特表２０１１−５１８５８０号公報
【考案の開示】
【考案が解決しようとする課題】
【０００４】
特許文献１では、歩行頻度が高い場所では、カーペットタイルの表面にラベル又はステッカーにて接着させたＲＦＩＤタグが外れてしまう恐れがある。
【０００５】
本発明は、かかる技術的背景を鑑みてなされたものであって、歩行頻度が高い場所で使用されてもＲＦＩＤタグが外れることなく、視覚障害者の注意喚起システムや自動搬送システムに利用することができるＲＦＩＤタグを備えたタイルカーペットを提供することが目的である。
【課題を解決するための手段】
【０００６】
前記目的を達成するために、本考案は以下の手段を提供する。
【０００７】
[１] 基布の上面にパイルが植設されてなるパイル布帛層と、該パイル布帛層の下面に積層された樹脂層と、を備えたタイルカーペットであって、前記樹脂層はガラス基布層と、該ガラス基布層の上面側に積層された上側樹脂層と、前記ガラス基布層の下面側に積層された下側樹脂層と、を含み、前記上側樹脂層と前記ガラス基布層との間、又は、前記ガラス基布層と前記下側樹脂層との間にＲＦＩＤタグを含む繊維層又はシート状物を備えていることを特徴とするタイルカーペット。
【考案の効果】
【０００８】
基布の上面にパイルが植設されてなるパイル布帛層と、パイル布帛層の下面に積層された樹脂層と、を備えたタイルカーペットであって、樹脂層はガラス基布層と、ガラス基布層の上面側に積層された上側樹脂層と、ガラス基布層の下面側に積層された下側樹脂層と、を含み、上側樹脂層とガラス基布層との間、又は、ガラス基布層と下側樹脂層との間にＲＦＩＤタグを含む繊維層又はシート状物を備えているから、歩行頻度が高い場所で使用されてもＲＦＩＤタグが外れることなく、実用耐久性に優れている。また、上側樹脂層とガラス基布層との間、又は、ガラス基布層と下側樹脂層との間にＲＦＩＤタグを含む繊維層又はシート状物を備えているから、ＲＦＩＤリーダーを備えた杖等をタイルカーペットのパイル表面に近づけると音を鳴らすことができ、視覚障害者の注意喚起システムや自動搬送システムとしても利用することができる。
【図面の簡単な説明】
【０００９】
【図１】本考案に係るＲＦＩＤタグを備えたタイルカーペットの一実施形態を示す図である。
【図２】本考案に係るＲＦＩＤタグを備えたタイルカーペットの他の実施形態を示す図である。
【考案を実施するための最良の形態】
【００１０】
本考案に係るＲＦＩＤタグを備えたタイルカーペットの一実施形態を説明する。本実施形態のタイルカーペット１は、基布３の上面にパイル２が植設されてなるパイル布帛層４と、該パイル布帛層４の下面に積層された樹脂層５と、を備えたタイルカーペットであって、前記樹脂層５はガラス基布層８と、該ガラス基布層８の上面側に積層された上側樹脂層６と、前記ガラス基布層８の下面側に積層された下側樹脂層９と、を含み、前記上側樹脂層６と前記ガラス基布層８との間、又は、前記ガラス基布層８と前記下側樹脂層９との間にＲＦＩＤタグ１０を含む繊維層又はシート状物７を備えていることを特徴とする。
【００１１】
図１に示すように、基布３の上面にパイル２が植設されてなるパイル布帛層４と、該パイル布帛層４の下面に積層された樹脂層５と、を備えたタイルカーペットであって、前記樹脂層５はガラス基布層８と、該ガラス基布層８の上面側に積層された上側樹脂層６と、前記ガラス基布層８の下面側に積層された下側樹脂層９と、を含み、前記上側樹脂層６と前記ガラス基布層８との間にＲＦＩＤタグ１０を含む繊維層又はシート状物７を備えていることを特徴とする。
【００１２】
前記パイル布帛層４は、基布３の上面にパイル２が植設されてなる。
【００１３】
前記基布３としては、特に限定されるものではないが、例えば、スパンボンド不織布、ニードルパンチ不織布、織布等が挙げられる。
【００１４】
前記基布３の素材としては、特に限定されるものではないが、例えば、ポリエステル系繊維、ポリアミド系繊維、ポリオレフィン系繊維等の熱可塑性繊維、またこれら各繊維の複合化繊維、或いはアセテート等の半合成繊維、レーヨン等の再生繊維、麻、綿などの天然繊維、或いはまたこれら繊維を混綿したもの等が挙げられる。
【００１５】
前記パイル２の素材は、特に限定されるものではないが、例えば、ポリエステル繊維、ナイロン繊維、ポリプロピレン繊維、アクリル繊維、レーヨン繊維等の繊維からなるもの等が好適に用いられ、その他、麻、綿、羊毛等の天然繊維からなるもの等が挙げられる。
【００１６】
前記パイル２の形態は、特に限定されるものではないが、例えば、カットパイル、ループパイル等が挙げられる。
【００１７】
前記樹脂層５は、特に限定されるものではないが、例えば、ポリ塩化ビニル樹脂ペーストゾルを固化させた樹脂層、塩化ビニル樹脂を含有してなるカーペット廃材を粉砕して得られたリサイクルシートからなる樹脂層等が挙げられる。前記ポリ塩化ビニル樹脂ペーストゾルは、可塑剤（ＤＯＰ）とポリ塩化ビニル樹脂と炭酸カルシウム等を含み、均一に混合されているペーストゾルのことを意味する。前記ポリ塩化ビニル樹脂とは、平均粒径が０．１μｍ〜２μｍ、粒子形態が非多孔質かつ球状、外観が白色微粉末である塩化ビニル樹脂のことを意味する。
【００１８】
前記樹脂層５はガラス基布層８と、該ガラス基布層８の上面側に積層された上側樹脂層６と、前記ガラス基布層８の下面側に積層された下側樹脂層９と、を含んでいることが必要である。
【００１９】
前記ガラス基布層８は、特に限定されるものではないが、例えば、ガラス不織布、ガラス織布、ガラスネットなどが挙げられる。中でも、ガラス不織布を用いることがより好ましい。
【００２０】
前記ガラス基布層８の目付としては、特に限定されるものではないが、１５ｇ／ｍ２〜６０ｇ／ｍ２であることが好ましい。
【００２１】
前記上側樹脂層６は、特に限定されるものではないが、例えば、ポリ塩化ビニル樹脂ペーストゾルを固化させた樹脂層、塩化ビニル樹脂を含有してなるカーペット廃材を粉砕して得られたリサイクルシートからなる樹脂層等が挙げられる。中でも、ポリ塩化ビニル樹脂ペーストゾルを固化させた樹脂層であることがより好ましい。
【００２２】
前記下側樹脂層９は、特に限定されるものではないが、例えば、ポリ塩化ビニル樹脂ペーストゾルを固化させた樹脂層、塩化ビニル樹脂を含有してなるカーペット廃材を粉砕して得られたリサイクルシートからなる樹脂層等が挙げられる。
【００２３】
前記上側樹脂層６と前記ガラス基布層８との間、又は、前記ガラス基布層８と前記下側樹脂層９との間にＲＦＩＤタグ１０を含む繊維層又はシート状物７を備えていることが必要である。図１は、前記上側樹脂層６と前記ガラス基布層８との間にＲＦＩＤタグ１０を含む繊維層又はシート状物７を備えており、図２は、前記ガラス基布層８と前記下側樹脂層９との間にＲＦＩＤタグ１０を含む繊維層又はシート状物７を備えている。ＲＦＩＤタグ１０が樹脂層５の中に含まれているため、歩行頻度が高い場所で使用されてもＲＦＩＤタグが外れることなく実用耐久性に優れていると共に、タイルカーペット１の最下層にもピールアップボンドなどの施工用粘着剤を塗布しても問題なく、実使用することができる。
【００２４】
前記ＲＦＩＤタグ１０を含む繊維層又はシート状物７は、特に限定されるものではないが、例えば、ＲＦＩＤタグを含むテープヤーンを経糸の代わりに挿入して織られた織物、ＲＦＩＤタグ１０シールを貼り付けた織物又は不織布、ＲＦＩＤタグ１０シールを貼り付けたフィルム等が挙げられる。なお、前記シート状物とは繊維で形成されたものではなく、柔軟性を有したシート状のフィルム等を意味する。
【００２５】
前記ＲＦＩＤタグ１０を含む繊維層又はシート状物７に含まれるＲＦＩＤタグの個数は、特に限定されるものではないが、必要に応じて、適宜調整することができる。
【００２６】
ＲＦＩＤタグとは、電池を内蔵して定期的に自ら電波を発信しているアクティブＲＦＩＤタグと、電池を必要とせず自らは電波を発信しないパッシブＲＦＩＤタグに大別される。中でも、パッシブＲＦＩＤタグは、情報を読み取るリーダ、ライタが発信する電波から電力を供給する方式を採用しており、通信可能な距離は最大でも数メートル程度になるが、小型化が容易であり、半永久的に使用できるという利点がある。なお、本考案で用いるＲＦＩＤタグ１０は、パッシブＲＦＩＤタグである必要がある。
【００２７】
前記ＲＦＩＤタグ１０の大きさとしては、特に限定されるものではないが、例えば、１ｃｍ×２ｃｍ程度の大きさが挙げられる。
【００２８】
図２には、本実施の他の形態のタイルカーペット１は、基布３の上面にパイル２が植設されてなるパイル布帛層４と、該パイル布帛層４の下面に積層された樹脂層５と、を備えたタイルカーペットであって、前記樹脂層５はガラス基布層８と、該ガラス基布層８の上面側に積層された上側樹脂層６と、前記ガラス基布層８の下面側に積層された下側樹脂層９と、を含み、前記ガラス基布層８と前記下側樹脂層９との間にＲＦＩＤタグ１０を含む繊維層又はシート状物７を備えていることを特徴とする。
【００２９】
本実施形態のタイルカーペット１を製造する方法としては、公知のタイルカーペットの製造方法で製造することができる。ガラス基布層８を挿入するように、ＲＦＩＤタグ１０を含む繊維層又はシート状物７を、前記上側樹脂層６と前記ガラス基布層８との間、又は、前記ガラス基布層８と前記下側樹脂層９との間に挿入する方法で製造することができる。
【実施例】
【００３０】
次に、本考案の具体的実施例について説明するが、本考案はこれら実施例のものに特に限定されるものではない。
【００３１】
＜使用材料＞
（パイル布帛）
目付９０ｇ／ｍ２のポリエステル繊維製不織布（基布）に、ナイロン繊維からなるパイル糸がループパイルとしてタフティングされたもの（パイル目付５２０ｇ／ｍ２）。
（ガラス基布）
ガラス不織布の目付３５ｇ／ｍ２
（ＲＦＩＤタグ１０を含む繊維層又はシート状物）
ポリエステル繊維からなる糸を経糸及び緯糸として用い、経糸に６ｃｍ間隔で多数のＲＦＩＤタグが規則的に配列された配列ヤーン（ＲＦＩＤタグを５ｃｍ間隔で配列）を用いて平織りした織物の片面にポリウレタンフィルムをラミネートしたもの
【００３２】
＜実施例１＞
連続走行する無端離型性ベルト（ベルトの表面にポリテトラフロエチレン層がコートされたもの）上に、第１コンマコーターを用いて下側樹脂層用ポリ塩化ビニル樹脂ペーストゾル（ポリ塩化ビニル樹脂１００重量部、ＤＯＰ９０重量部、炭酸カルシウム４００重量部）を１．５ｍｍの厚さに塗布した。次に、塗工した下側樹脂層用ポリ塩化ビニル樹脂ペーストゾルの上にガラス基布層を貼り合せ、さらに、ガラス基布の上に、ＲＦＩＤタグ１０を含む繊維層又はシート状物を貼り合せた。次に、第２コンマコーターを用いて上側樹脂層用ポリ塩化ビニル樹脂ペーストゾル（ポリ塩化ビニル樹脂１００重量部、ＤＯＰ１００重量部、炭酸カルシウム３００重量部）を１．５ｍｍの厚さに塗布した。次に、塗工した上側樹脂層用ポリ塩化ビニル樹脂ペーストゾルの上にパイル布帛を貼り合せて、上下一対の加圧プレスロールの間に挿通して圧着させ、加熱炉を用いて１６０℃で加熱した。得られた積層体を５００ｍｍ角の正方形に裁断し、図１に示すタイルカーペット１を得た。
【００３３】
＜比較例１＞
ＲＦＩＤタグ１０を含む繊維層又はシート状物を積層しない設定した以外は、実施例１と同様にして、タイルカーペットを得た。
【００３４】
＜評価方法＞
ＲＦＩＤタグの情報を読み取ることができるリーダーを備えた杖を用いて、タイルカーペットのパイル表面に近づけた時、音を発したものを「○」、音を発しなかったものを「×」とした。
【００３５】
本考案の実施例１のタイルカーペットは、ＲＦＩＤタグの情報を読み取ることができるリーダーを備えた杖をタイルカーペットのパイル表面に近づけた際、音が発生したので、評価が○であった。
【００３６】
これに対して、比較例１は、ＲＦＩＤタグ１０を含む繊維層又はシート状物を積層していないため、ＲＦＩＤタグの情報を読み取ることができるリーダーを備えた杖をタイルカーペットのパイル表面に近づけた際、音が発生しなかったので、評価が×であった。
【産業上の利用可能性】
【００３７】
本考案に係るタイルカーペットは、例えば、視覚障害者の注意喚起システム、自動搬送システムに利用することができる。
【符号の説明】
【００３８】
１・・・タイルカーペット
２・・・パイル
３・・・基布
４・・・パイル布帛層
５・・・樹脂層
６・・・上側樹脂層
７・・・ＲＦＩＤタグを含む繊維層又はシート状物
８・・・ガラス基布層
９・・・下側樹脂層
１０・・・ＲＦＩＤタグ
【図１】
0003216222.tif 000003
【図２】
0003216222.tif 000004